(57)【特許請求の範囲】
【請求項１】
ＣＧ画像作成装置と光学異方性製版装置と刷版装置と光学異方性媒体作成装置を有する光学異方性媒体作成システムであって、
前記ＣＧ画像作成装置は、
形状データと、形状色情報と視線情報を含むレンダリングデータと、を記憶する記憶手段と、
形状データとレンダリングデータとから、画素法線ベクトルと画素位置情報と画素色情報と視線ベクトルを対応付けたＣＧ画像データを作成するＣＧ画像作成手段と、
ＣＧ画像データを前記光学異方性製版装置に送信するＣＧ画像データ送信手段と、を備え、
前記光学異方性製版装置は、
光学異方性要素データと、光学異方性画像データと、を記憶する記憶手段と、
ＣＧ画像データを前記ＣＧ画像作成装置から受信するＣＧ画像データ受信手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を前記作成されたパターンデータに対応付けて、これを含む光学異方性画像データを作成する光学異方性画像データ作成手段と、
ＣＧ画像データから、製版データを作成する製版データ作成手段と、
光学異方性画像データから、異方性製版データを作成する異方性製版データ作成手段と、
製版データと異方性製版データを前記刷版装置に送信する製版データ送信手段と、を備え、
前記刷版装置は、
製版データと異方性製版データを前記光学異方性製版装置から受信する製版データ受信手段と、
製版データから色印刷版を作成する印刷版作成手段と、
異方性製版データから異方性加工版を作成する異方性加工版作成手段と、を備え、
前記光学異方性媒体作成装置は、
色印刷版を用いて、印刷媒体を作成する印刷手段と、
異方性加工版を用いて、前記作成された印刷媒体から、光学異方性媒体を作成する光学異方性媒体加工手段と、
を備えることを特徴とする光学異方性媒体作成システム。
【請求項２】
形状データと、形状色情報と視線情報を含むレンダリングデータと、光学異方性要素データと、光学異方性画像データと、を記憶する記憶手段と、
形状データとレンダリングデータとから、画素法線ベクトルと画素位置情報と画素色情報と視線ベクトルを対応付けたＣＧ画像データを作成するＣＧ画像作成手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成した光学異方性要素データに対応付けて、これを含む光学異方性画像データを作成する光学異方性画像データ作成手段と、
ＣＧ画像データから、製版データを作成する製版データ作成手段と、
光学異方性画像データから、異方性製版データを作成する異方性製版データ作成手段と、
製版データから色印刷版を作成する印刷版作成手段と、
異方性製版データから異方性加工版を作成する異方性加工版作成手段と、
色印刷版を用いて、印刷媒体を作成する印刷手段と、
異方性加工版を用いて、前記作成された印刷媒体から、光学異方性媒体を作成する光学異方性媒体加工手段と、
を備えることを特徴とする光学異方性媒体作成装置。
【請求項３】
画素法線ベクトルと画素位置情報と画素色情報と視線ベクトルを対応付けたＣＧ画像データと、光学異方性要素データと、光学異方性画像データと、製版データと、を記憶する記憶手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素法線情報を、前記作成されたパターンデータに対応付けて、これを含む光学異方性画像データを作成する光学異方性画像データ作成手段と、
光学異方性画像データから、異方性製版データを作成する異方性製版データ作成手段と、
を備える光学異方性製版装置。
【請求項４】
ＣＧ画像作成装置と光学異方性製版装置と刷版装置と光学異方性媒体作成装置を有する光学異方性媒体作成システムであって、
前記ＣＧ画像作成装置は、
形状データと、形状色情報と視線情報を含むレンダリングデータと、を記憶する記憶手段と、
形状データとレンダリングデータとから、画素法線ベクトルと画素位置情報と画素色情報と視線ベクトルを対応付けたＣＧ画像データを作成するＣＧ画像作成手段と、
ＣＧ画像データを前記光学異方性製版装置に送信するＣＧ画像データ送信手段と、を備え、
前記光学異方性製版装置は、
光学異方性要素データと、光学異方性画像データと、を記憶する記憶手段と、
ＣＧ画像データを前記ＣＧ画像作成装置から受信するＣＧ画像データ受信手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成したパターンデータに対応付けて、これを含む光学異方性画像データを作成する光学異方性画像データ作成手段と、
光学異方性画像データから、異方性製版データを作成する異方性製版データ作成手段と、
異方性製版データを前記刷版装置に送信する製版データ送信手段と、を備え、
前記刷版装置は、
異方性製版データを受信する製版データ受信手段と、
異方性製版データから異方性加工版を作成する異方性加工版作成手段と、を備え、
前記光学異方性媒体作成装置は、
異方性加工版を用いて、光学異方性媒体を作成する光学異方性媒体加工手段、を備えることを特徴とする光学異方性媒体作成システム。
【請求項５】
形状データと、形状色情報と視線情報を含むレンダリングデータと、画素法線ベクトルと画素位置情報と画素色情報と視線ベクトルを対応付けたＣＧ画像データと、光学異方性要素データと、光学異方性画像データと、を記憶する記憶手段と、
形状データとレンダリングデータとから、ＣＧ画像データを作成するＣＧ画像作成手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成したパターンデータに対応付けて、これを含む光学異方性画像データを作成する光学異方性画像データ作成手段と、
光学異方性画像データから、異方性製版データを作成する異方性製版データ作成手段と、
異方性製版データから異方性加工版を作成する異方性加工版作成手段と、
異方性加工版を用いて、光学異方性媒体を作成する光学異方性媒体加工手段と、
を備えることを特徴とする光学異方性媒体作成装置。
【請求項６】
画素法線ベクトルと画素位置情報と画素色情報と視線ベクトルを対応付けたＣＧ画像データと、光学異方性要素データと、光学異方性画像データと、を記憶する記憶手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成したパターンデータに対応付けて、これを含む光学異方性画像データを作成する光学異方性画像データ作成手段と、
光学異方性画像データから、異方性製版データを作成する異方性製版データ作成手段と、
異方性製版データを送信する製版データ送信手段と、
を備えることを特徴とする光学異方性製版装置。
【請求項７】
形状データと、形状色情報と視線情報を含むレンダリングデータと、画素法線ベクトルと画素位置情報と画素色情報と視線ベクトルを対応付けたＣＧ画像データと、光学異方性要素データと、光学異方性画像データと、を用いる光学異方性媒体作成方法であって、
形状データとレンダリングデータとから、前記ＣＧ画像データを作成するＣＧ画像作成ステップと、
投影面角度の入力を受け付ける投影面角度受付ステップと、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出ステップと、
前記画素角度を持つ光学異方性要素データから構成されるパターンデータを作成するパターンデータ作成ステップと、
前記取得された画素位置情報を、前記作成したパターンデータに対応付けて、これを含む光学異方性画像データを作成する光学異方性画像データ作成ステップと、
光学異方性画像データから、異方性製版データを作成する異方性製版データ作成ステップと、
異方性製版データから異方性加工版を作成する異方性加工版作成ステップと、
異方性加工版を用いて、光学異方性媒体を作成する光学異方性媒体加工ステップと、
を含んだ手順でなされることを特徴とする光学異方性媒体作成方法。
【請求項８】
ＣＧ画像データの画素情報と画素色情報とから、製版データを作成する製版データ作成ステップと、
製版データから色印刷版を作成する印刷版作成ステップと、
色印刷版を用いて、印刷媒体を作成する印刷ステップと、
を含んだ手順でなされることを特徴として、
前記光学異方性媒体加工ステップは、異方性加工版を用いて、前記作成された印刷媒体から、光学異方性媒体を作成する、請求項７に記載の光学異方性媒体作成方法。
【請求項９】
コンピュータに組込むことによって、コンピュータを、請求項２、または、請求項５に記載の光学異方性媒体作成装置、として動作させるコンピュータプログラム。
【請求項１０】
コンピュータに組込むことによって、コンピュータを、請求項３、または、請求項６に記載の光学異方性製版装置、として動作させるコンピュータプログラム。
【発明の詳細な説明】
【技術分野】
【０００１】
本発明は、光の反射方向が変化する光学異方性媒体を作成するシステム、および、その方法に関するものである。
【０００２】
従来から、光学異方性加工を用いることで、高い意匠性の模様を表現したり、印刷物等の表面を立体的に認識させたりしている。
なお、光学異方性加工とは、印刷やエンボス加工などの加工法を用いて、基材表面に方向性を持った微細な凹凸を形成することで光学異方性反射を実現する加工技術である。この微細な凹凸による光学異方性反射の特性を、位置に応じて、変化させることで、立体的な認識を実現する。
【背景技術】
【０００３】
たとえば、特許文献１では、平行線の角度が異なる複数の平行線反射形状を用意しておき、２次元画像の画素の位置や画素の値に対応させて、平行線反射形状を選択して、選択した平行線反射形状にて２次元画像を再構成して、光学異方性２次元画像を作成する技術が開示されている。（従来技術１）
【特許文献１】特許第３３８３００４号公報（５〜７ページ、図１，２，５〜８）
【発明の開示】
【発明が解決しようとする課題】
【０００４】
ところで、従来技術１では、光学異方性２次元画像の各平行線反射形状の境界では、各平行線の角度が異なるために、各反射形状の境界部に平行線角度の不連続性が生じてしまい、異方性反射の移り変わりを滑らかに認識させることができないという欠点があった。
【０００５】
本発明はこのような従来技術を考慮してなされたものであって、本発明の課題は、異方性反射の移り変わりをより滑らかに認識させることで、意匠的に好ましい光学異方性媒体を作成するシステムを提供することである。
【課題を解決するための手段】
【０００６】
本発明は、以下のような解決手段により、前記課題を解決する。すなわち、請求項１の発明は、
ＣＧ画像作成装置と光学異方性製版装置と刷版装置と光学異方性媒体作成装置を有する光学異方性媒体作成システムであって、
前記ＣＧ画像作成装置は、
形状データと、形状色情報と視線情報を含むレンダリングデータと、を記憶する記憶手段と、
形状データとレンダリングデータとから、画素法線ベクトルと画素位置情報と画素色情報と視線ベクトルを対応付けたＣＧ画像データを作成するＣＧ画像作成手段と、
ＣＧ画像データを前記光学異方性製版装置に送信するＣＧ画像データ送信手段と、を備え、
前記光学異方性製版装置は、
光学異方性要素データと、光学異方性画像データと、を記憶する記憶手段と、
ＣＧ画像データを前記ＣＧ画像作成装置から受信するＣＧ画像データ受信手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を前記作成されたパターンデータに対応付けて、これを含む光学異方性画像データを作成する光学異方性画像データ作成手段と、
ＣＧ画像データから、製版データを作成する製版データ作成手段と、
光学異方性画像データから、異方性製版データを作成する異方性製版データ作成手段と、
製版データと異方性製版データを前記刷版装置に送信する製版データ送信手段と、を備え、
前記刷版装置は、
製版データと異方性製版データを前記光学異方性製版装置から受信する製版データ受信手段と、
製版データから色印刷版を作成する印刷版作成手段と、
異方性製版データから異方性加工版を作成する異方性加工版作成手段と、を備え、
前記光学異方性媒体作成装置は、
色印刷版を用いて、印刷媒体を作成する印刷手段と、
異方性加工版を用いて、前記作成された印刷媒体から、光学異方性媒体を作成する光学異方性媒体加工手段と、
を備えることを特徴とする光学異方性媒体作成システム
である。
【０００７】
ここで、パターンデータは各画素位置において、当該位置での画素角度に忠実な角度を持って生成された光学異方性要素データを用いるため、従来技術１に記載されたようにあらかじめ用意された複数の角度を持った光学異方性要素データの中から当該位置での画素角度を最も近似したものを用いる方法と比較して、より滑らかに異方性反射の移り変わりを認識させる効果がある。
【０００８】
請求項２の発明は、
形状データと、形状色情報と視線情報を含むレンダリングデータと、光学異方性要素データと、光学異方性画像データと、を記憶する記憶手段と、
形状データとレンダリングデータとから、画素法線ベクトルと画素位置情報と画素色情報と視線ベクトルを対応付けたＣＧ画像データを作成するＣＧ画像作成手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成した光学異方性要素データに対応付けて、これを含む光学異方性画像データを作成する光学異方性画像データ作成手段と、
ＣＧ画像データから、製版データを作成する製版データ作成手段と、
光学異方性画像データから、異方性製版データを作成する異方性製版データ作成手段と、
製版データから色印刷版を作成する印刷版作成手段と、
異方性製版データから異方性加工版を作成する異方性加工版作成手段と、
色印刷版を用いて、印刷媒体を作成する印刷手段と、
異方性加工版を用いて、前記作成された印刷媒体から、光学異方性媒体を作成する光学異方性媒体加工手段と、
を備えることを特徴とする光学異方性媒体作成装置
である。
【０００９】
請求項３の発明は、
画素法線ベクトルと画素位置情報と画素色情報と視線ベクトルを対応付けたＣＧ画像データと、光学異方性要素データと、光学異方性画像データと、製版データと、を記憶する記憶手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素法線情報を、前記作成されたパターンデータに対応付けて、これを含む光学異方性画像データを作成する光学異方性画像データ作成手段と、
光学異方性画像データから、異方性製版データを作成する異方性製版データ作成手段と、
を備える光学異方性製版装置
である。
【００１０】
請求項４の発明は、
ＣＧ画像作成装置と光学異方性製版装置と刷版装置と光学異方性媒体作成装置を有する光学異方性媒体作成システムであって、
前記ＣＧ画像作成装置は、
形状データと、形状色情報と視線情報を含むレンダリングデータと、を記憶する記憶手段と、
形状データとレンダリングデータとから、画素法線ベクトルと画素位置情報と画素色情報と視線ベクトルを対応付けたＣＧ画像データを作成するＣＧ画像作成手段と、
ＣＧ画像データを前記光学異方性製版装置に送信するＣＧ画像データ送信手段と、を備え、
前記光学異方性製版装置は、
光学異方性要素データと、光学異方性画像データと、を記憶する記憶手段と、
ＣＧ画像データを前記ＣＧ画像作成装置から受信するＣＧ画像データ受信手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成したパターンデータに対応付けて、これを含む光学異方性画像データを作成する光学異方性画像データ作成手段と、
光学異方性画像データから、異方性製版データを作成する異方性製版データ作成手段と、
異方性製版データを前記刷版装置に送信する製版データ送信手段と、を備え、
前記刷版装置は、
異方性製版データを受信する製版データ受信手段と、
異方性製版データから異方性加工版を作成する異方性加工版作成手段と、を備え、
前記光学異方性媒体作成装置は、
異方性加工版を用いて、光学異方性媒体を作成する光学異方性媒体加工手段、を備えることを特徴とする光学異方性媒体作成システム
である。
【００１１】
請求項５の発明は、
形状データと、形状色情報と視線情報を含むレンダリングデータと、画素法線ベクトルと画素位置情報と画素色情報と視線ベクトルを対応付けたＣＧ画像データと、光学異方性要素データと、光学異方性画像データと、を記憶する記憶手段と、
形状データとレンダリングデータとから、ＣＧ画像データを作成するＣＧ画像作成手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成したパターンデータに対応付けて、これを含む光学異方性画像データを作成する光学異方性画像データ作成手段と、
光学異方性画像データから、異方性製版データを作成する異方性製版データ作成手段と、
異方性製版データから異方性加工版を作成する異方性加工版作成手段と、
異方性加工版を用いて、光学異方性媒体を作成する光学異方性媒体加工手段と、
を備えることを特徴とする光学異方性媒体作成装置
である。
【００１２】
請求項６の発明は、
画素法線ベクトルと画素位置情報と画素色情報と視線ベクトルを対応付けたＣＧ画像データと、光学異方性要素データと、光学異方性画像データと、を記憶する記憶手段と、
投影面角度の入力を受け付ける投影面角度受付手段と、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出手段と、
前記画素角度を持つ光学異方性要素データから構成されるパターンデータを作成するパターンデータ作成手段と、
前記取得された画素位置情報を、前記作成したパターンデータに対応付けて、これを含む光学異方性画像データを作成する光学異方性画像データ作成手段と、
光学異方性画像データから、異方性製版データを作成する異方性製版データ作成手段と、
異方性製版データを送信する製版データ送信手段と、
を備えることを特徴とする光学異方性製版装置
である。
【００１３】
請求項７の発明は、
形状データと、形状色情報と視線情報を含むレンダリングデータと、画素法線ベクトルと画素位置情報と画素色情報と視線ベクトルを対応付けたＣＧ画像データと、光学異方性要素データと、光学異方性画像データと、を用いる光学異方性媒体作成方法であって、
形状データとレンダリングデータとから、前記ＣＧ画像データを作成するＣＧ画像作成ステップと、
投影面角度の入力を受け付ける投影面角度受付ステップと、
ＣＧ画像面の各画素について、ＣＧ画像データの画素法線ベクトルと視線ベクトルとを取得して、前記視線ベクトルと平行でＣＧ画像面の基準方向と前記投影面角度で交差する投影面を設定し、当該投影面に前記画素法線ベクトルを投影してできた投影法線と前記ＣＧ画像面との角度情報を算出して、画素角度とする画素角度算出ステップと、
前記画素角度を持つ光学異方性要素データから構成されるパターンデータを作成するパターンデータ作成ステップと、
前記取得された画素位置情報を、前記作成したパターンデータに対応付けて、これを含む光学異方性画像データを作成する光学異方性画像データ作成ステップと、
光学異方性画像データから、異方性製版データを作成する異方性製版データ作成ステップと、
異方性製版データから異方性加工版を作成する異方性加工版作成ステップと、
異方性加工版を用いて、光学異方性媒体を作成する光学異方性媒体加工ステップと、
を含んだ手順でなされることを特徴とする光学異方性媒体作成方法
である。
【００１４】
請求項８の発明は、ＣＧ画像データの画素情報と画素色情報とから、製版データを作成する製版データ作成ステップと、製版データから色印刷版を作成する印刷版作成ステップと、色印刷版を用いて、印刷媒体を作成する印刷ステップと、を含んだ手順でなされることを特徴として、前記光学異方性媒体加工ステップは、異方性加工版を用いて、前記作成された印刷媒体から、光学異方性媒体を作成する、請求項７に記載の光学異方性媒体作成方法である。
【００１５】
請求項９の発明は、コンピュータに組込むことによって、コンピュータを、請求項２、または、請求項５に記載の光学異方性媒体作成装置、として動作させるコンピュータプログラムである。
【００１６】
請求項１０の発明は、コンピュータに組込むことによって、コンピュータを、請求項３、または、請求項６に記載の光学異方性製版装置、として動作させるコンピュータプログラムである。
【発明の効果】
【００１７】
本願発明によれば、異方性反射の移り変わりを滑らかに認識させることで、意匠性の優れた光学異方性媒体を製造することができる。
【発明を実施するための最良の形態】
【００１８】
（実施例）
以下、図面等を参照しながら、本発明の実施の形態について、更に詳しく説明する。図１は、光学異方性媒体作成システムの概要を説明する図である。光学異方性媒体作成システム１は、ＣＧ画像作成装置１００と、光学異方性製版装置３００と、刷版装置５００と、光学異方性媒体作成装置７００（たとえば、印刷加工装置）と、から構成される。
【００１９】
ＣＧ画像作成装置１００は、ＣＧ画像の形状データ１９１（たとえば、3次元ＣＧモデルデータ）と、光源情報や視線方向情報や各形状の色情報などを含むレンダリングデータ１９３と、画素法線情報と画素位置情報と画素色情報と視線情報を対応付けたＣＧ画像データ１９９（２次元ＣＧ画像データ）と、を備える。
【００２０】
光学異方性製版装置３００は、光学異方性要素データ３９１（たとえば、角が丸く細長い矩形データ、細長い楕円形データ）と、画素位置情報とパターンデータとを対応付けた光学異方性画像データ３９３と、製版データ３９８と、異方性製版データ３９９と、を備える。ここで、パターンデータとは、所定の角度回転させた光学異方性要素データ３９１から構成されるデータである。
【００２１】
刷版装置５００は、製版データ３９８と、異方性製版データ３９９と、色印刷版５９９ｄと、異方性加工版５９９ａ（たとえば、箔押し版、あるいは、エンボス版、あるいは、スクリーン版）と、を備える。光学異方性媒体作成装置７００は、色印刷版５９９ｄと、異方性加工版５９９ａ（たとえば、箔押し版、あるいは、エンボス版、あるいは、スクリーン版）と、光学異方性媒体７９９と、を備える。
【００２２】
なお、刷版装置５００は、異方性製版データ３９９と、異方性加工版５９９ａ（たとえば、箔押し版、あるいは、エンボス版、あるいは、スクリーン版）のみを備えてもよい。
また、光学異方性媒体作成装置７００は、異方性加工版５９９ａ（たとえば、箔押し版、あるいは、エンボス版、あるいは、スクリーン版）と、光学異方性媒体７９９のみ、を備えてもよい。
【００２３】
図２は、光学異方性媒体作成システム１の大まかな処理の流れを説明する。ＣＧ画像作成装置１００は、形状データ１９１（たとえば、３次元ＣＧモデルデータ）と、色情報と視線情報（たとえば、視線ベクトル）を含むレンダリングデータ１９３と、から、視線情報（たとえば、視線ベクトル）と画素座標情報と画素法線情報（たとえば、法線ベクトル）と画素色情報を含んだＣＧ画像データ１９９を作成する（図２（１））。ＣＧ画像作成装置１００は、ＣＧ画像データ１９９を送信する（同（２））。
【００２４】
光学異方性製版装置３００は、ＣＧ画像データ１９９を受信する（同（３））。光学異方性製版装置３００は、投影面角度情報の入力を受け付ける（同（４））。光学異方性製版装置３００は、ＣＧ画像データ１９９の視線ベクトルに平行で、ＣＧ画像面の基準方向（たとえば、水平方向）と投影面角度で交差する投影面に、画素法線ベクトルを投影した投影法線の角度情報を算出して、画素角度とする（同（５））。
【００２５】
ちなみに、画素角度の値は、「−９０°」から「＋９０°」の範囲の値である。これをいったん「−４５°」から「＋４５°」の範囲に線形に変換することで正規化した後に、以下の処理を行う。
【００２６】
光学異方性製版作成装置３００は、光学異方性要素データ３９１を画素角度回転させて、これを画素領域に配置させて、パターンデータを作成する（同（６））。
【００２７】
このときに、画素角度回転させた光学異方性要素データ３９１は、画素領域に配置するときに、画素領域境界に接しないように、長さを調節する。このことにより、隣接する画素領域の光学異方性要素データ３９１が互いに接することが無く、屈曲点が発生しないために、微視的な異方性反射により生じる個々のちらつきは軽減され、人間の目には異方性反射がなめらかに変化するという効果が得られる。
【００２８】
光学異方性製版装置３００は、画素座標を対応付けたパターンデータを含む光学異方性画像データ３９３を作成する（同（７））。光学異方性製版装置３００は、光学異方性画像データ３９３から、異方性製版データ３９９を作成する（同（８））。光学異方性製版装置３００は、ＣＧ画像データ１９９から、製版データ３９８を作成する（同（９））。光学異方性製版装置３００は、製版データ３９８と異方性製版データ３９９を送信する（同（１０））。
【００２９】
刷版装置５００は、製版データ３９８と異方性製版データ３９９を受信する（同（１１））。刷版装置５００は、製版データ３９８から、色印刷版５９９ｄを作成する（同（１２））。刷版装置５００は、異方性製版データ３９９から、異方性加工版５９９ａ（たとえば、エンボス版や箔押し版やスクリーン版）を作成する（同（１３））。
【００３０】
光学異方性媒体作成装置７００は、色印刷版５９９ｄを用いて、印刷媒体を作成して、異方性加工版５９９ａ（たとえば、エンボス版や箔押し版やスクリーン版）を用いて、印刷媒体を加工（たとえば、エンボス版を用いてエンボス加工や、箔押し版を用いて箔押しや、スクリーン版を用いてスクリーン印刷加工）して、光学異方性媒体７９９（たとえば、異方性反射シート）を作成する（同（１４））。
【００３１】
図３および図４は、光学異方性媒体作成システム１の詳細な構成図である。光学異方性媒体作成システム１は、ＣＧ画像作成装置１００と光学異方性製版装置３００と刷版装置５００と光学異方性媒体作成装置７００（印刷加工装置）とから構成される。図３は、ＣＧ画像作成装置１００と光学異方性製版装置３００との詳細な構成図である。
【００３２】
ＣＧ画像作成装置１００は、ＣＧ画像データ送信手段１１０と、ＣＧ画像作成手段１２０と、記憶手段１９０と、を備える。記憶手段１９０は、形状データ１９１と、レンダリングデータ１９３と、ＣＧ画像データ１９９と、を記憶する。
【００３３】
レンダリングデータ１９３は、形状色情報と視線情報（たとえば、視線ベクトル）を含むデータである。ＣＧ画像データ１９９は、画素法線情報と画素位置情報と画素色情報と視線情報（たとえば、視線ベクトル）を対応付けたデータである。
【００３４】
ＣＧ画像作成手段１２０は、形状データ１９１とレンダリングデータ１９３とから、ＣＧ画像データ１９９を作成する。ＣＧ画像データ送信手段１１０は、ＣＧ画像データ１９９を送信する。
【００３５】
ＣＧ画像データ送信手段１１０と、ＣＧ画像作成手段１２０と、は、コンピュータプログラムである。形状データ１９１と、レンダリングデータ１９３と、ＣＧ画像データ１９９と、は、コンピュータプログラムが可読なデータである。記憶手段１９０は、メモリである。
【００３６】
光学異方性製版装置３００は、ＣＧ画像データ受信手段３１０と、投影面角度受付手段３２０と、画素角度算出手段３３０と、パターンデータ作成手段３５５と、光学異方性画像データ作成手段３６０と、製版データ作成手段３８５と、異方性製版データ作成手段３８０と、製版データ送信手段３１２と、記憶手段３９０と、を備える。記憶手段３９０は、光学異方性要素データ３９１と、光学異方性画像データ３９３と、ＣＧ画像データ１９９と、異方性製版データ３９９と、製版データ３９８と、を記憶する。
【００３７】
光学異方性要素データ３９１は、たとえば、直線形状を含んだデータである。光学異方性画像データ３９３は、画素位置情報と光学異方性要素データ３９１とを対応付けたデータデータである。
【００３８】
ＣＧ画像データ受信手段３１０は、ＣＧ画像データを受信する。投影面角度受付手段３２０は、投影面角度情報の入力を受け付ける。画素角度算出手段３３０は、ＣＧ画像データ１９９の画素法線情報と視線情報とを取得して、視線とは平行で、ＣＧ画像面の基準方向（たとえば、水平方向）とは投影面角度で交差する投影面に、画素法線を投影してできた投影法線の角度情報を算出して、画素角度とする。ターンデータ作成手段３５５は、前記画素角度を取得して、光学異方性要素をその画素角度だけ回転させた光学異方性要素データを生成して、これを用いて、パターンデータを作成する。（詳細は後述する。）光学異方性画像データ作成手段３６０は、ＣＧ画像データ１９９を参照して、前記画素法線情報に対応した画素位置情報を取得して、これと前記作成されたパターンデータとを対応付けて、画素位置情報が対応付けられたパターンデータを含む光学異方性画像データ３９３を作成する。製版データ作成手段３８５は、ＣＧ画像データ１９９の画素情報と画素色情報とから、製版データ３９８を作成する。異方性製版データ作成手段３８０は、光学異方性画像データ３９３から、異方性製版データ３９９を作成する。製版データ送信手段３１２は、製版データ３９８と異方性製版データ３９９を送信する。
【００３９】
ＣＧ画像データ受信手段３１０と、投影面角度受付手段３２０と、画素角度算出手段３３０と、パターンデータ作成手段３５５と、光学異方性画像データ作成手段３６０と、製版データ作成手段３８５と、異方性製版データ作成手段３８０と、製版データ送信手段３１２と、は、コンピュータプログラムである。光学異方性要素データ３９１と、光学異方性画像データ３９３と、異方性製版データ３９９と、製版データ３９８と、は、コンピュータプログラムが可読なデータである。記憶手段３９０は、メモリである。
【００４０】
図４は、刷版装置５００と光学異方性媒体作成装置７００との詳細な構成図である。
【００４１】
刷版装置５００は、製版データ受信手段５１２と印刷版作成手段５８５と異方性加工版作成手段５８０と記憶手段５９０とを備える。記憶手段５９０は、製版データ３９８と異方性製版データ３９９とを記憶する。
【００４２】
製版データ受信手段５１２は、製版データ３９８と異方性製版データ３９９を受信する。印刷版作成手段５８５は、製版データ３９８から色印刷版５９９ｄを作成する。異方性加工版作成手段５８０は、異方性製版データ３９９から異方性加工版５９９ａを作成する。
【００４３】
製版データ受信手段５１２はコンピュータプログラムである。印刷版作成手段５８５と異方性加工版作成手段５８０とは、刷版機械である。記憶手段５９０は、メモリである。
【００４４】
光学異方性媒体作成装置７００は、印刷手段７８５と、光学異方性媒体加工手段７８０と、を備える。印刷手段７８５は、色印刷版５９９ｄを用いて、印刷媒体を作成する。光学異方性媒体加工手段７８０は、異方性加工版５９９ａを用いて、前記作成された印刷媒体から、光学異方性媒体７９９を作成する
【００４５】
印刷手段７８５は、印刷機械である。光学異方性媒体加工手段７８０は、印刷機械または加工機械である。
【００４６】
図５は、形状データ１９１の構造と例である。形状データ１９１の項目は、形状オブジェクト種類１９１ａと形状オブジェクト座標値１９１ｂとから構成される。形状オブジェクト種類１９１ａとは、形状図形の種類である。形状オブジェクト座標値１９１ｂとは、形状図形の座標値である。
【００４７】
図５には、「形状オブジェクト種類１９１ａ＝円柱オブジェクト」と「形状オブジェクト座標値１９１ｂ＝上底円中心座標／上底円半径／円柱高さ／下底円中心座標／下底円半径」、「形状オブジェクト種類１９１ａ＝多角柱オブジェクト」と「形状オブジェクト座標値１９１ｂ＝上底多角形頂点座標／多角柱高さ／下底多角形頂点座標」、「形状オブジェクト種類１９１ａ＝円垂オブジェクト」と「形状オブジェクト座標値１９１ｂ＝中心座標／半径／高さ」、「形状オブジェクト種類１９１ａ＝多角垂オブジェクト」と「形状オブジェクト座標値１９１ｂ＝多角形頂点座標／高さ」、「形状オブジェクト種類１９１ａ＝平面オブジェクト」と「形状オブジェクト座標値１９１ｂ＝平面境界点座標」、「形状オブジェクト種類１９１ａ＝曲面オブジェクト」と「形状オブジェクト座標値１９１ｂ＝曲面点座標／曲面点補間式」、などが例示されている。
【００４８】
図６は、レンダリングデータ１９３の構造を説明する図である。レンダリングデータ１９３の項目は、「拡散反射率Ｋ」と、「入射光の強さＩ」と、「光の入射方向と面の法線のなす角（入射角）α」と、「鏡面反射率Ｍ」と、「ハイライトの特性（鋭さ）を制御するパラメータＮ」と、「視点方向と正反射方向のなす角γ」と、「環境光に対する反射率Ｄ」と、「環境光の強さＡ」と、から構成される。
【００４９】
図７は、ＣＧ画像データ１９９の構造と例の説明図である。ＣＧ画像データ１９９は、視線情報１９９ａと、画素番号１９９ｂと、画素位置情報１９９ｃと、画素法線情報１９９ｄと、画素色情報１９９ｅと、から構成される。視線情報１９９ａは、視線方向ベクトル（ｘ成分、ｙ成分、ｚ成分）である。画素番号１９９ｂは、ＣＧ画像の画素の配列情報（たとえば、２次元ＣＧ画像面の配列位置＝ｘ配列位置の値、ｙ配列位置の値）をあらわす。画素位置情報１９９ｃは、画素のｘ座標値、ｙ座標値である。画素法線情報１９９ｄは、画素に対応する形状データの法線情報（ＣＧ画像面に対する仰角及び方位角）である。画素色情報１９９ｅは、画素のＲＧＢ値である。
【００５０】
図７には、ＣＧ画像の画素配列が、「画素11」「画素21」・・、「画素12」「画素22」・・である例が示されている。
【００５１】
図８は、光学異方性要素データ３９１の説明図である。光学異方性要素データ３９１は、直線形状を含んだ図形データである。
【００５２】
図８には、角が丸く細長い矩形データや、細長い楕円形データが、例示されている。
【００５３】
図９は、光学異方性画像データ３９３の形式と例を説明する図である。光学異方性画像データ３９３は、画素番号３９３ａと、画素位置情報３９３ｂと、パターンデータ３９３ｃと、から構成される。画素番号３９３ａは、光学異方性画像の画素の配列情報（たとえば、光学異方性画像面の配列位置＝ｘ配列位置の値、ｙ配列位置の値）をあらわす。画素位置情報３９３ｂは、画素のｘ座標値、ｙ座標値である。パターンデータ３９３ｃは、画素角度回転させた光学異方性要素データ３９１から生成されるデータである。（詳細は後述する。）
【００５４】
図９には、光学異方性画像の画素配列が、「画素11」「画素21」・・、「画素12」「画素22」・・である例が示されている。
【００５５】
図１０は、製版データ３９８の形式を説明する図である。製版データ３９８は、管理データ部と、画像データ部と、から構成される。管理データ部は、製版データＩＤと、製版サイズと、を有する。画像データ部は、画像ＩＤと、レイアウトデータ（たとえば、画像座標値、画像サイズなど。）と、画像データ（たとえば、印刷色CMYKの網点データ）と、を有する。
【００５６】
図１１は、異方性製版データ３９９の形式を説明する図である。異方性製版データ３９９は、管理データ部と、画像データ部と、から構成される。管理データ部は、製版データＩＤと、製版サイズと、を有する。画像データ部は、画像ＩＤと、レイアウトデータ（たとえば、画像座標値、画像サイズなど。）と、画像データ（パターンデータ３９１ｂ）と、を有する。
【００５７】
ここで、ＣＧ画像データ１９９の画素法線情報１９９ｄを説明する。図１２は、ＣＧ画像の画素法線の説明図である。ＣＧ画像の画素法線は、画素に対応する形状データ１９１の点の法線である。たとえば、ＣＧ画像の画素１９９ｇの画素法線情報は、2次元ＣＧ画像面に対する円柱１９１ｇの点の法線情報１９９ｄである。
【００５８】
次に、ＣＧ画像データ１９９の画素色情報１９９ｅを説明する。図１３は、ＣＧ画像の画素色情報１９９ｅを算出する式の説明図である。ＣＧ画像データ１９９の画素の色情報１９９ｅは、レンダリングデータ１９３を用いて、拡散反射による画素色情報と、鏡面反射による画素色情報と、環境光による画素色情報と算出して、その総和になる。ここで、拡散反射による画素色情報は、拡散反射算出式「ＩＫｃｏｓα」で算出する。また、鏡面反射による画素色情報は、鏡面反射算出式「ＩＭｃｏｓNγ」で算出する。また、環境光による画素色情報は、環境光算出式「ＡＤ」で算出する。
【００５９】
なお、図１３に示したＣＧ画像の画素色情報算出式は、Phongの鏡面反射モデルを用いた一般的なシェーディング演算式である。
【００６０】
図１４は、画素法線ベクトルを、所定の投影面に投影した投影法線の角度の説明図である。投影面３９４は、視線ベクトル１９９ａ（一般的には、視線ベクトルは、２次元ＣＧ画像面に垂直である。）と平行であって、２次元ＣＧ画像面１９９内の基準方向（たとえば、水平方向）と入力を受け付けた投影面角度３９２をなす面である。また、投影法線３９６は、２次元ＣＧ画像面１９９の画素ＸＹの画素法線ベクトル１９９ｄが、投影面に投影された線である。投影法線３９６と２次元ＣＧ画像面１９９とのなす角度が、投影法線の角度情報３９７（＝画素角度）である。
【００６１】
図１５から図１７までは、パターンデータ３９３ｃの説明図である。
【００６２】
図１５は、光学異方性画像データ３９３の作成手順を説明する図である。光学異方性要素データ３９１ （たとえば、要素Ｂ）を、画素角度３９７を、回転する（図１５（１））。ここで、前述した画素角度は「−９０°」から「＋９０°」までの範囲で得られるが、あらかじめ「−４５°」から「＋４５°」などの範囲に正規化した上で図１５（１）に示した回転を施すのが望ましい。
【００６３】
回転させた光学異方性要素データ３９１を所定の領域に配置して、パターンデータ３９３ｃを作成する（同（２））。このとき、各回転させた光学異方性要素データ３９１は、パターンデータ３９３ｃの領域境界に接し無いように、長さを調節して、配置される。
【００６４】
図１６は、要素Ｂの光学異方性要素データを用いたパターンデータ３９３ｃを画素位置に配置した例である。隣接するパターンデータ３９３ｃは、各回転させた光学異方性要素データ３９１が接しないので、屈曲点が発生しない。
【００６５】
図１７は、要素Ａの光学異方性要素データを用いたパターンデータ３９３ｃを画素位置に配置した例である。図１６と同様に、隣接するパターンデータ３９３ｃは、各回転させた光学異方性要素データ３９１が接しないので、屈曲点が発生しない。
【００６６】
なお、光学異方性媒体作成システム１は、単体の装置であってもよい。
【００６７】
ここで、従来のパターンデータの例にについて、説明する。
（参考例）
図１８は、光学異方性要素データが平行四辺形であるパターンデータの例である。
光学異方性要素の平行四辺形の辺の角度を、画素角度３９７だけ回転させた光学異方性要素データ３９１を、所定の領域に配置したパターンデータが例示されている。
【００６８】
回転させた光学異方性要素データ３９１は、所定の領域に接しており、また、領域の境界線で、切断された形状をしている。そこで、領域の境界において、光学異方性要素の平行四辺形の辺の角度に不連続が生じるために、所定の領域の大きさが視認されてしまう結果、反射光の不連続性が視認される。さらには、所定の領域が十分に大きくて、光学異方性要素の平行四辺形の平行線が視認できる場合には、線分同士自体の不連続も認識できてしまうという問題がある。
【００６９】
以上詳しく説明したように、本願発明によれば、異方性反射の移り変わりを滑らかに認識させることができる、意匠性の優れた光学異方性媒体を製造することができた。
【図面の簡単な説明】
【００７０】
【図１】光学異方性媒体作成システムの全体構成
【図２】光学異方性媒体作成システム１の大まかな処理の流れ
【図３】光学異方性媒体作成システム１の詳細な構成図（１）
【図４】光学異方性媒体作成システム１の詳細な構成図（２）
【図５】形状データの構造と例
【図６】レンダリングデータの構造
【図７】ＣＧ画像データ１９９の構造と例
【図８】光学異方性要素データ３９１の構造と例
【図９】光学異方性画像データ３９３
【図１０】製版データ３９８の形式
【図１１】異方性製版データ３９９の形式
【図１２】2次元ＣＧ画像の画素法線の説明図
【図１３】ＣＧ画像の画素色情報を算出する式
【図１４】画素法線ベクトルを投影面に投影して作製した投影法線の角度情報
【図１５】光学異方性画像データ３９３の作成手順を説明する図
【図１６】要素Ｂの光学異方性要素データを用いたパターンデータを画素位置に配置した例
【図１７】要素Ａの光学異方性要素データを用いたパターンデータを画素位置に配置した例
【図１８】（参考例）従来のパターンデータの例
【符号の説明】
【００７１】
１  光学異方性媒体作成システム
１００  ＣＧ画像作成装置
１１０  ＣＧ画像データ送信手段
１２０  ＣＧ画像作成手段
１９０  記憶手段
１９１  形状データ
１９１ａ  形状オブジェクト種類
１９１ｂ  形状オブジェクト座標値
１９３  レンダリングデータ
１９９  ＣＧ画像データ
１９９ａ  視線方向ベクトル
１９９ｂ  画素番号
１９９ｃ  画素位置情報
１９９ｄ  画素法線情報
１９９ｅ  画素色情報
３００  光学異方性製版装置
３１０  ＣＧ画像データ受信手段
３１２  製版データ送信手段
３２０  投影面角度受付手段
３３０  画素角度算出手段
３５５  パターンデータ作成手段
３６０  光学異方性画像データ作成手段
３８０  異方性製版データ作成手段
３８５  製版データ作成手段
３９０  記憶手段
３９１  光学異方性要素データ
３９３  光学異方性画像データ
３９３ａ  画素番号
３９３ｂ  画素位置情報
３９３ｃ  パターンデータ
３９４  投影面
３９６  投影法線
３９７  投影法線の角度情報
３９８  製版データ
３９９  異方性製版データ
５００  刷版装置
５１２  製版データ受信手段
５８０  異方性加工版作成手段
５８５  印刷版作成手段
５９０  記憶手段
５９９ｄ  色印刷版
５９９ａ  異方性加工版
７００  光学異方性媒体作成装置
７８０  光学異方性媒体加工手段
７８５  印刷手段
７９９  光学異方性媒体
【図１】
0004826298.tif 000002
【図２】
0004826298.tif 000003
【図３】
0004826298.tif 000004
【図４】
0004826298.tif 000005
【図５】
0004826298.tif 000006
【図６】
0004826298.tif 000007
【図７】
0004826298.tif 000008
【図８】
0004826298.tif 000009
【図９】
0004826298.tif 000010
【図１０】
0004826298.tif 000011
【図１１】
0004826298.tif 000012
【図１２】
0004826298.tif 000013
【図１３】
0004826298.tif 000014
【図１４】
0004826298.tif 000015
【図１５】
0004826298.tif 000016
【図１６】
0004826298.tif 000017
【図１７】
0004826298.tif 000018
【図１８】
0004826298.tif 000019